(57)【要約】【課題】高い位置に結実した柿果実を下から傷つけることなく、安全で、構造が簡単で、刃物を使わない器具で手軽に、高齢者、女子、子供でも地上から、一度に複数個をも連続的に採取作業が可能な柿果実用採取具を提供する。【解決手段】フレーム２はフレーム末端４を適当な長さの竿５上端に連結させ、フレーム２は菱形を形成した先端には引掛け爪１を有している。引掛け爪１はフレーム２を構成する水平面より引掛け爪俯角θが２度〜１０度又は、引掛け爪仰角λが２〜１０度に設定することにより柿果実Ｃを採取する場合、容易に成り茎Ｂを狭隙間６，７で捕捉し千切り取ることを可能にし、またフレーム２及び収納袋３より外部に飛散することなくスムースに収納袋３に向けての収納を可能にする。【選択図】　　図１
2004113021.tif 000002
【特許請求の範囲】
【請求項１】
先端を山形状に形成し、該先端より前記山形状の両端の内側に向け、一筆書き状に長円形状の突出させた引掛け爪と、該引掛け爪と前記山形状の両端には柿果実の成り茎を把持し千切り取る狭隙間と、を形成し前記山形状の末端より逆山形状に集束させたフレームを、適当な長さの竿上端に連結せる構成としたことを特徴とする柿果実用採取具。
【請求項２】
前記フレームを牽引することにより、前記狭隙間で把持された柿果実の成り茎で千切り取られた柿果実を収納する、底部を前記竿側にＶ字体に突出させた収納袋を前記フレームに装着したことを特徴とする請求項１記載の柿果実用採取具。
【請求項３】
略水平面を構成する前記フレームの前記山形状から前記引掛け爪に２〜１０度の俯角、又は２〜１０度の仰角を形成したことを特徴とする請求項１、２記載の柿果実用採取具。
【請求項４】
請求項１又は請求項３に記載した柿果実用採取具において、前記フレーム及び前記竿に、柿果実を収納する連通状に連結される筒状シュートを装着し、前記筒状シュートの外側からコの字型の減速棒を、前記竿上側の固定部にピンで枢支せしめ、基端部近くをスプリングの縮勢力により常時は前記竿及び前記筒状シュートに略直角に保ち、また、前記筒状シュートの外側からコの字型のストッパー棒を、前記竿下側の固定部にピンで枢支せしめ、基端部近くをスプリングの縮勢力により常時は前記竿及び前記筒状シュートに略直角に保ち、基端部より先を前記ストッパー棒にピンで枢支したレバーの傾倒で、前記ストッパー棒を下方に前記竿に平行に倒し、また、前記減速棒の基端部に可動自在に取付けたロッドの押力で前記減速棒を下方に前記竿に平行に倒す構成としたことを特徴とする筒状シュート装置。
【発明の詳細な説明】
【０００１】
【発明の属する技術分野】
本発明は柿の樹木になる果実を地上から複数個でも連続的に採取するための柿果実用採取具に関する。
【０００２】
【従来の技術】
果実の採取具は例えば実開平６−２３４１８号、特開２０００−３５４４１４公報に見るように果実１個、１個を掴み採る種類のものが主であり、また刃物で切取る構造のものも見られるが子供の使用に危険性があり、更に何度かの使用で刃の磨耗がある。手の届かない高い位置の柿のように鈴なりに結実する果実を連続的に能率よく高齢者、女子、子供でも安全に短時間で収穫させる迄には至っていないのが現状である。
【０００３】
【発明が解決しようとする課題】
多くの場合、高い位置に数多く結実する柿果実の採取作業は、脚立では起伏や軟弱地盤、斜面での使用は不安定で、特に子供や高齢者には危険を伴い、高枝切り鋏で一個、一個摘み取るには非能率的で、何度かの使用で刃の磨耗があり切れ味を落とす課題がある。そこで本発明では上記課題を解消するため、高い位置に結実した柿果実を傷つけることなく、安全で、構造が簡単で、刃物を使わない柿果実の成り茎の折れ易い特徴を生かし千切り取る器具で手軽に、高齢者、女子、子供でも地上から、一度に複数個をも連続的に採取作業が可能な柿果実用採取具を提供することを目的とするものである。
【０００４】
【課題を解決するための手段】
このような課題を解決する為の本発明の柿果実用採取具は、先端を山形状に形成し、該先端より前記山形状の両端の内側に向け、一筆書き状に長円形状の突出させた引掛け爪と、該引掛け爪と前記山形状の両端には柿果実の成り茎を把持し千切り取る狭隙間と、を形成し前記山形状の末端より逆山形状に集束させたフレームを、適当な長さの竿上端に連結せる構成としている。更に前記フレームを牽引することにより、前記狭隙間で把持された柿果実の成り茎で千切り取られた柿果実を収納する、底部を前記竿側にＶ字体に突出させた収納袋を前記フレームに装着させるものである。
【０００５】
また、必要に応じ、略水平面を構成する前記フレームの前記山形状から前記引掛け爪に２〜１０度の俯角、又は２〜１０度の仰角を形成したことが柿果実の採取を容易にし且つ、収納袋への集果に有効である。
【０００６】
本発明の柿果実用採取具において、前記フレーム及び前記竿に、柿果実を収納する連通状に連結される筒状シュートを装着し、前記筒状シュートの外側からコの字型の減速棒を、前記竿上側の固定部にピンで枢支せしめ、基端部近くをスプリングの縮勢力により常時は前記竿及び前記筒状シュートに略直角に保ち、また、前記筒状シュートの外側からコの字型のストッパー棒を、前記竿下側の固定部にピンで枢支せしめ、基端部近くをスプリングの縮勢力により常時は前記竿及び前記筒状シュートに略直角に保ち、基端部より先を前記ストッパー棒にピンで枢支したレバーの傾倒で、前記ストッパー棒を下方に前記竿に平行に倒し、また、前記減速棒の基端部に可動自在に取付けたロッドの押力で前記減速棒を下方に前記竿に平行に倒す構成としたことを特徴とする筒状シュート装置である。
【０００７】
【発明の実施の形態】
以下添付図面に基づいて本発明の実施の形態に係る柿果実用採取具を説明する。図１、図２、に示すように、柿果実Ｃを採取する実施の形態に係る柿果実用採取具Ｔにおいて、フレーム２はフレーム末端４を適当な長さの竿５上端に連結させ、フレーム２は菱形を形成した先端には一筆書き状に長円形状の突出させた引掛け爪１を有している。引掛け爪１はフレーム２を構成する水平面より引掛け爪俯角θが２度〜１０度又は、引掛け爪仰角λが２〜１０度に設定することにより柿果実Ｃを採取する場合、容易に成り茎Ｂを狭隙間６，７で素早く捕捉することを可能にし、またフレーム２及び収納袋３より外部に飛散することなくスムースに収納袋３に向けての収納を可能にする。フレーム２を柿果実Ｃの下からあてがい柿果実用採取具Ｔを牽引すると容易に柿果実Ｃは狭隙間６、７、に挟まり柿果実Ｃを支える成り茎Ｂを把持し千切り取り採取が可能となる。フレーム２に装着した収納袋３に向け容易に落下採取された柿果実Ｃは、収納袋３の底部を竿５側にＶ字体に突出させることにより柿果実Ｃの収納袋３の底部での跳ね返りを防ぎ収納を可能にしている。
【０００８】
次に図３、図４に示すように本発明の実施の形態に係る柿果実採取具の筒状シュート装置Ｓを装着した図について詳述する。フレーム２に竿５を連結させ、且つ、フレーム２に筒状シュート９を装着し、筒状シュート９内の補強のための取付用バー８を通して紐１５で竿５に保持する。減速棒１０を有する固定部１２を竿５にＵボルト２４及びナット２５で固定し、更に竿５下部にストッパー棒１１を有する固定部１３を竿５にＵボルト２４及びナット２５で固定し、採取された柿果実Ｃは筒状シュート９内を落下し減速棒１０の所で減速する。筒状シュート９は減速棒１０により細く絞られ柿果実Ｃの落下は減速され、減速棒１０を通過するが、ロングピン２０で枢支された減速棒１０は減速棒１０に固定された固定ピン２１と固定部１２に固定された固定ピン２１で連結されたスプリング１８に抗して柿果実Ｃの落下と共に下側に傾倒し落下を補助するので柿果実Ｃは減速棒１０の部位で滞留する事はない。また抑制ピン２２で減速棒１０の水平より上への動きを抑制し、減速棒１０の基端部に可動自在に、かつ他端を竿５にスライド可能に付設されたロッド１７を上方に押出すことによりロングピン２０を軸に下側に傾倒し万一、柿果実Ｃが減速棒１０の部位で滞留することがあれば通過を促進することが出来る。減速棒１０で減速されて通過した柿果実Ｃはストッパー棒１１で、筒状シュート９はさらに絞られて通過を妨げる。ストッパー棒１１に固定された固定ピン２１及び固定部１３にピン２３で枢支されたレバー１６を竿５側に引くことにより、固定部１３に固定した固定ピン２１及びストッパー棒１１に固定した固定ピン２１で連結されたスプリング１９に抗してロングピン２０で枢支されたストッパー棒１１は下側に傾倒し、ストッパー棒１１の部位で滞留した複数の柿果実Ｃは、筒状シュート９の取出口１４の開放端から排出される。また抑制ピン２２でストッパー棒１１の水平より上への動きを抑制している。レバー１６は中間をピン２３で枢支されている。このような構造は、複数個の柿果実Ｃが連続的に落下してきても一旦減速されて滞留し排出されるので相互に強くぶつかり合う機会を極力なくすので、傷を作り商品価値を損なう事がない。
【０００９】
従って、実施の形態に係る筒状シュート９をフレーム２に装着した筒状シュート装置Ｓを使用して柿果実Ｃを採取するときは、図５に示すよう柿の枝Ａに結実する柿果実Ｃをフレーム２の先端と引掛け爪１との狭隙間で成り茎Ｂを容易に捕捉し牽引採取し、筒状シュート９内を落下させ減速棒１０で一旦減速した柿果実Ｃは、ストッパー棒１１の部位で滞留し、ストッパー棒１１の傾倒で取出口１４より排出される。
【００１０】
次に図２に示す前記長円形状の突出させた引掛け爪１の構造の他の例として図６に示すようフレーム２の先端をＭ型状にし引掛け爪１をＵ字型に形成した構造のものである。
【００１１】
次に図７に示すようにフレーム２のフレーム末端４の構造の他の例として高所の柿果実を採取する場合はフレーム面が柿果実に垂直状に接するため捕捉し難く、フレーム末端４に角度をつけた方が柿果実の成り茎の捕捉に便利である。従ってフレーム２の平面に対しフレーム末端４の角度φを１２０度〜１７０度にすることが採取者にとりフレーム２を柿果実に当てがい易く採取に好都合である。
【００１２】
本発明は図示した実施形態に限定されるものではなく、本発明の要旨を踏襲する限り、本発明の明細書及び図面に記載された内容から推量できるもの、或いは同じ機能を有する他の手段に置き換えたものも本発明に含まれるものである。
【００１３】
【発明の効果】
以上説明したように本発明の柿果実用採取具によれば、柿果実の前記成り茎を前記フレームの前記狭隙間に挟み込み把持し千切り取るので、高い位置に鈴なりに結実するような柿果実を連続的に複数個をも一度に採取することが出来る。また柿果実の成り茎の折れやすい性質を利用し、構造が簡単で刃物の部分がなく安全で、何度の使用でも刃物のように切れ味をおとすことはない。操作が簡単で、子供や高齢者や女子の使用にも危険性がなく刃物部や可動部を前記フレームに持たないので、メンテナンスの必要がない。前記フレームに、底部を前記竿側にＶ字体に突出させた前記収納袋の装着をすれば、採取した柿果実の、前記収納袋底部での跳ね返りを防ぎ、また地面への落下飛散と損傷することなく複数個の収納を可能にしている。一般的には高枝切り鋏での採取が行われているが、一個一個鋏で切取るのは非能率的である。
【００１４】
更に、前記引掛け爪は前記フレームを構成する水平面より引掛け爪俯角θが２度〜１０度又は、引掛け爪仰角λが２〜１０度に設定することにより柿果実を採取する場合、成り茎を前記狭隙間で捕捉し易くなる。また前記フレーム及び前記収納袋より外部に飛散することが減少しスムースに前記収納袋に向けての収納を可能にする。前記フレームを柿果実の下からあてがい前記柿果実用採取具を牽引すると容易に柿果実は前記狭隙間に呼込まれるように挟まり柿果実を支える前記成り茎を把持し千切り取り採取が可能となる。前記フレームに装着した前記収納袋に向け容易に落下採取される。
【００１５】
更に、筒状シュート装置をフレームに装着し、多くの柿果実を連続的に能率的に採取するのに対応する事が出来る。採取された柿果実は筒状シュート内を落下し減速棒の所で減速する。筒状シュートは減速棒により細く絞られ柿果実の落下は減速され、減速棒を通過するが、柿果実の落下と共に下側に傾倒し落下を補助するので柿果実は減速棒の部位で滞留する事はない。ロッドを上方に押出すことによりを軸に下側に傾倒し万一、柿果実が減速棒の部位で滞留することがあれば通過を促進することが出来る。減速棒で減速されて通過した柿果実はストッパー棒で、筒状シュートはさらに絞られて通過を妨げる。レバーを竿側に引くことにより、ストッパー棒は下側に傾倒し、ストッパー棒の部位で滞留した複数の柿果実は、筒状シュートの取出口の開放端から排出される。従って、取出口の開放端に集荷箱等を置き、そのまま集荷することが出来る。このような構造は、複数個の柿果実が連続的に落下してきても一旦減速されて滞留し排出されるので相互に強くぶつかり合う機会を極力なくすので、傷を作り商品価値を損なう事がない。
【図面の簡単な説明】
【図１】本発明の実施の形態に係る柿果実用採取具の使用例を示す側面図である。
【図２】本発明の実施の形態に係る柿果実用採取具の正面図と側面図である。
【図３】本発明の実施の形態に係る柿果実用採取具の筒状シュート装置を装着した全体図の正面図と側面図である。
【図４】本発明の実施の形態に係る柿果実用採取具の筒状シュート装置を装着した要部の斜視図である。
【図５】本発明の実施の形態に係る柿果実用採取具の筒状シュート装置を装着した使用例を示す側面図である。
【図６】本発明の実施の形態に係る柿果実用採取具のフレームの他の実施例を示す正面図である。
【図７】本発明の実施の形態に係る柿果実用採取具のフレーム末端の他の実施例を示す側面図である。
【符号の説明】
Ｔ．柿果実用採取具
Ａ．枝
Ｂ．成り茎
Ｃ．柿果実
Ｓ．筒状シュート装置
θ．引掛け爪俯角
λ．引掛け爪仰角
φ．フレーム末端の角度
１．引掛け爪
２．フレーム
３．収納袋
４．フレーム末端
５．竿
６．狭隙間
７．狭隙間
８．取付用バー
９．筒状シュート
１０．減速棒
１１．ストッパー棒
１２．固定部
１３．固定部
１４．取出口
１５．紐
１６．レバー
１７．ロッド
１８．スプリング
１９．スプリング
２０．ロングピン
２１．固定ピン
２２．抑制ピン
２３．ピン
２４．Ｕボルト
２５．ナット
【図１】
2004113021.tif 000003
【図２】
2004113021.tif 000004
【図３】
2004113021.tif 000005
【図４】
2004113021.tif 000006
【図５】
2004113021.tif 000007
【図６】
2004113021.tif 000008
【図７】
2004113021.tif 000009